(57)【要約】【課題】送り込まれた空気の圧力損失を抑える。【解決手段】空気が送り込まれるチャンバ本体部１１と、チャンバ本体部１１に設けられ、主ダクト１０４に通じる複数の開口部１２と、チャンバ本体部１１内に設けられ、当該チャンバ本体部１１内に送り込まれた空気を主ダクト１０４側に誘導する流路１４とを備えた。【選択図】図２
2016017704.tif 000002
【特許請求の範囲】
【請求項１】
空気が送り込まれるチャンバ本体部と、
前記チャンバ本体部に設けられ、ダクトに通じる複数の開口部と、
前記チャンバ本体部内に設けられ、当該チャンバ本体部内に送り込まれた空気を前記ダクト側に誘導する流路と
を備えたチャンバ。
【請求項２】
前記流路は、前記チャンバ本体部から前記各ダクトへ送り込まれる空気の分配比を均一にするよう設計された
ことを特徴とする請求項１記載のチャンバ。
【発明の詳細な説明】
【技術分野】
【０００１】
この発明は、送り込まれた空気を複数のダクトに分岐するチャンバに関するものである。
【背景技術】
【０００２】
床置式の空調システムでは、図４に示すように、空調機１０１からの空気（冷風又は温風）がサプライチャンバ１０２に送り込まれ、ダンパ１０３を介して複数系統の主ダクト１０４に分岐される。そして、主ダクト１０４に分岐された空気は分岐チャンバ１０５に送り込まれ、複数系統の分岐ダクト１０６に分岐されて各居住空間に供給される（例えば特許文献１参照）。
【０００３】
この空調システムの組み立てでは、まず、図５（ａ）に示すように、空調機１０１の上面に設けられた開口部１０１１に対して、サプライチャンバ１０２の底面に設けられた開口部１０２１を合わせて上から差し込む。次いで、図５（ｂ）に示すように、サプライチャンバ１０２の上面に設けられた複数の開口部１０２２に対して、それぞれダンパ１０３を取り付けて、タッピングネジで固定する。そして、ダンパ１０３上に主ダクト１０４を接続する。
【先行技術文献】
【特許文献】
【０００４】
【特許文献１】特開平６−２２９５８８号公報
【発明の概要】
【発明が解決しようとする課題】
【０００５】
上述したように、床置式の空調システムでは、空調機１０１からの空気がサプライチャンバ１０２に送り込まれ、ダンパ１０３を介して複数系統の主ダクト１０４に分岐される。また、主ダクト１０４からの空気が分岐チャンバ１０５に送り込まれ、複数系統の分岐１０６に分岐される。一方、従来のチャンバ１０２，１０５は、単純な箱型形状に構成されている。そのため、従来のチャンバ１０２，１０５では、空気が送り込まれた場合に角部で発生する渦による圧力損失が考慮されていないという課題があった。
【０００６】
この発明は、上記のような課題を解決するためになされたもので、送り込まれた空気の圧力損失を抑えることができるチャンバを提供することを目的としている。
【課題を解決するための手段】
【０００７】
この発明に係るチャンバは、空気が送り込まれるチャンバ本体部と、チャンバ本体部に設けられ、ダクトに通じる複数の開口部と、チャンバ本体部内に設けられ、当該チャンバ本体部内に送り込まれた空気をダクト側に誘導する流路とを備えたものである。
【発明の効果】
【０００８】
この発明によれば、上記のように構成したので、送り込まれた空気の圧力損失を抑えることができる。
【図面の簡単な説明】
【０００９】
【図１】この発明の実施の形態１に係るサプライチャンバの構成を示す斜視図である。
【図２】この発明の実施の形態１に係るサプライチャンバの構成を示す分解斜視図である。
【図３】この発明の実施の形態１における流路の構成を示す一部断面斜視図である。
【図４】従来の床置式の空調システムの構成を示す斜視図である。
【図５】従来の床置式の空調システムの組み立てを説明する斜視図である。
【発明を実施するための形態】
【００１０】
以下、この発明の実施の形態について図面を参照しながら詳細に説明する。
実施の形態１．
図１はこの発明の実施の形態１に係るサプライチャンバ（チャンバ）１の構成を示す図である。
サプライチャンバ１は、床置式の空調システムに用いられるものであり、空調機１０１の直上に設置される。このサプライチャンバ１には、図１に示すように、中空の箱型形状に構成されたチャンバ本体部１１が設けられている。このチャンバ本体部１１の底面には、空調機１０１の上部に設けられた開口部１０１１に差し込まれる開口部（不図示）が設けられており、空調機１０１からの空気（冷風又は温風）がチャンバ本体部１１内に送り込まれる。
【００１１】
また、チャンバ本体部１１の上面には、主ダクト（ダクト）１０４が接続される筒部（開口部）１２が複数設けられている。なお図１の例では、主ダクト１０４が２系統の場合を想定して、筒部１２が２つ設けられた場合を示している。
【００１２】
また、筒部１２には、チャンバ本体部１１から主ダクト１０４へ送り込まれる空気の流量を調整するダンパ部１３が設けられている。このダンパ部１３は、円板部材からなり、筒部１２の直径周りに回動可能な羽根部１３１を備えている。そして、この羽根部１３１により、筒部１２を全閉とすることで主ダクト１０４側への空気を遮断し、筒部１２を全開とすることで主ダクト１０４側へ最大流量で空気を送り込むことができる。なお、ダンパ部１３には、羽根部１３１を回動するための電源（不図示）が取り付けられてもよい。
【００１３】
このように、サプライチャンバ１にダンパ部１３を追加することで、図４，５に示す従来のサプライチャンバ１０２とダンパ１０３とを接続するために必要であった接合シロ及び余分な部品（サプライチャンバ１０２の開口部１０２２とダンパ１０３が同径（呼び径が同じ）の場合と呼び径自体が異なる場合に用いられるニップル等）を削除することができる。そのため、システム全体を小型化することができ、高さを抑制することができる。
【００１４】
また、図２，３に示すように、チャンバ本体部１１の内部には、デッドスペースをなくすため、空調機１０１からチャンバ本体部１１内に送り込まれた空気を主ダクト１０４側に誘導する流路１４が設けられている。この流路１４は、ＥＰＳ（Ｅｘｐａｎｄｅｄ  Ｐｏｌｙ−Ｓｔｙｒｅｎｅ）等のモールドにより成型される。これにより、空調機１０１から送り込まれた空気の圧力損失を抑えることができる。また、上記流路１４は、各主ダクト１０４への空気の分配比が均一（略均一の意味を含む）になるように設計される。
なお、筒部１２と流路１４との間には、空気の漏れを防ぐためのシール部材１５が設けられている。
【００１５】
以上のように、この実施の形態１によれば、チャンバ本体部１１内に設けられ、当該チャンバ本体部１１内に送り込まれた空気を主ダクト１０４側に誘導する流路１４を設けるように構成したので、送り込まれた空気の圧力損失を抑えることができる。
【００１６】
なお上記では、サプライチャンバ１にダンパ部１３を追加し、システム全体の小型化を図る構成について示した。この場合、サプライチャンバ１の高さが低くなり、空調機１０１から送り込まれた空気の圧力損失が増加する傾向がある。しかしながら、このような場合であっても、本発明のようにサプライチャンバ１内に流路１４を形成することで、圧力損失を抑制することができる。
【００１７】
上記では、サプライチャンバ１にダンパ１３部を追加し、システム全体の小型化を図る場合を示した。しかしながら、これに限るものではなく、図４，５に示すように、別体のサプライチャンバ１０２とダンパ１０３を用い、当該サプライチャンバ１０２に本発明の流路１４を適用してもよい。
【００１８】
また上記では、チャンバとしてサプライチャンバ１を用い、空調機１０１からの空気を主ダクト（ダクト）１０４側へ誘導する流路１４を設けた場合を例に説明を行った。それに対して、チャンバとして分岐チャンバ１０５を用い、主ダクト１０４からの空気を分岐ダクト（ダクト）１０６側へ誘導する流路を設けてもよく、上記と同様の効果を得ることができる。
【００１９】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００２０】
１  サプライチャンバ
１１  チャンバ本体部
１２  筒部（開口部）
１３  ダンパ部
１４  流路
１５  シール部材
１０１  空調機
１０２  サプライチャンバ（チャンバ）
１０３  ダンパ
１０４  主ダクト（ダクト）
１０５  分岐チャンバ（チャンバ）
１０６  分岐ダクト（ダクト）
１３１  羽根部
１０１１，１０２１，１０２２  開口部
【図１】
2016017704.tif 000003
【図２】
2016017704.tif 000004
【図３】
2016017704.tif 000005
【図４】
2016017704.tif 000006
【図５】
2016017704.tif 000007